(57)【要約】      （修正有）【課題】  搬送されるウェブを効率的に、かつ安定して処理する。【解決手段】  処理ボックス１４の内部において、ウェブ１２の搬送経路の上側、及び下側に千鳥状に中空のウェブガイド１６を配置する。ウェブガイド１６の搬送経路側の非接触ガイド面１８は、凸円弧状に形成し、無数の空気噴出口２８を形成する。また、ウェブガイド１６の内部には、非接触ガイド面１８を加熱するパイプ３２を配置する。非接触ガイド面１８と対向したウェブ１２は、円弧状に積極的に曲げられるため、従来のように直線状に搬送される場合に比較してばたつくことが無く、非接触ガイド面１８との間隙（浮上量）が変化せずに安定してウェブ１２が搬送され、ウェブ１２に対する加熱量の変化が無くなる。したがって、ウェブ１２を従来よりも非接触ガイド面１８に近接させることができ、加熱効率を大幅に向上することが可能となる。【選択図】        図１
2006264970.tif 000002
【特許請求の範囲】
【請求項１】
搬送されるウェブを処理するウェブ処理装置であって、
前記ウェブの搬送経路側に設けられた非接触ガイド面の搬送経路に沿った断面形状が搬送経路側に向けて凸状に形成されており、前記ウェブとの間に間隙を形成するための気体を噴出する噴出口が前記非接触ガイド面に設けられたウェブガイドと、
前記噴出口から噴出させる気体の温度を変更する第１の温度変更装置、及び前記非接触ガイド面の温度を変更する第２の温度変更装置の少なくとも一方を備えるウェブ温度変更手段と、
を備え、
前記ウェブガイドが前記ウェブの搬送経路の一方側に設けられ、
前記ウェブの搬送経路の他方側には、前記ウェブが前記非接触ガイド面の凸形状に沿って搬送されるように前記ウェブのウェブガイド側とは反対側の面を支持する支持手段が設けられている、
ことを特徴とするウェブ処理装置。
【請求項２】
搬送されるウェブを処理するウェブ処理装置であって、
前記ウェブの搬送経路側に設けられた非接触ガイド面の搬送経路に沿った断面形状が搬送経路側に向けて凸状に形成されており、前記ウェブとの間に間隙を形成するための気体を噴出する噴出口が前記非接触ガイド面に設けられたウェブガイドと、
前記噴出口から噴出させる気体の温度を変更する第１の温度変更装置、及び前記非接触ガイド面の温度を変更する第２の温度変更装置の少なくとも一方を備えるウェブ温度変更手段と、
を備え、
前記ウェブが前記非接触ガイド面の凸形状に沿って搬送されるように、前記ウェブガイドが前記ウェブの搬送経路を挟んで両側に設けられている、
ことを特徴とするウェブ処理装置。
【請求項３】
前記ウェブガイドを前記搬送経路と接離する方向に移動する移動手段を有する、ことを特徴とする請求項１または請求項２に記載のウェブ処理装置。
【請求項４】
前記ウェブガイドに至る前の前記ウェブの厚みを検出する厚みセンサと、
前記厚みセンサによる前記ウェブの厚み測定結果に基いて、前記移動手段を制御して前記ウェブガイドの位置を変更する制御手段と、
を有することを特徴とする請求項３に記載のウェブ処理装置。
【請求項５】
前記非接触ガイド面は、セラミックコーティングされている、ことを特徴とする請求項１乃至請求項４の何れか１項に記載のウェブ処理装置。
【発明の詳細な説明】
【技術分野】
【０００１】
本発明は、ウェブ処理装置にかかり、特に、搬送される印刷版等のウェブを一定の条件で処理できるウェブ処理装置に関する。
【背景技術】
【０００２】
アルミニウム基板上に塗工液を塗布した帯状体（ウェブ）を最も効率的に加熱する方法として、ヒートロールを直接的に接触させる伝導伝熱方が考えられるが、伝導伝熱法は加熱媒体とウェブが直接接触する方法であることから、加熱時にウェブに皺や傷を発生する虞がある。
【０００３】
そこで、至近距離にて熱風乾燥と輻射加熱を実施して伝導伝熱に近い形にすることが特許文献１等で考えられている。
【特許文献１】特開平７−６９４４７号公報
【発明の開示】
【発明が解決しようとする課題】
【０００４】
特許文献１では、加熱ガスを噴出するノズル箱（浮上装置）をシート材の搬送方向に沿って千鳥状に配置すると共に、ノズル箱とノズル箱との間に赤外線放射器を配置している。
【０００５】
ノズル箱のスリットから加熱ガスが噴出することで、シート材が浮上して搬送されるようになっている。
【０００６】
加熱効率は、加熱手段と非加熱部材との距離に比例するため、加熱効率を上げるためには、非加熱部材を加熱手段に近接させる必要がある。
【０００７】
しかしながら、ノズル箱、及赤外線放射器を至近距離にて併用すると、シート材のばたつきによる赤外線放射器やノズル箱への接触が懸念され、シート材との距離をある程度離す必要があり、加熱効率を大幅に向上させることは出来ない。
【０００８】
また、従来、乾燥に使用されている浮上装置では、シート材との距離を一定に保つことが困難（浮上形状及びばたつき等で）で、加熱量を安定させることが困難であった。
【０００９】
本発明は、上記問題を解決すべく成されたもので、搬送されるウェブを効率的に、かつ安定して処理することのできるウェブ処理装置を提供することが目的である。
【課題を解決するための手段】
【００１０】
請求項１に記載の発明は、搬送されるウェブを処理するウェブ処理装置であって、前記ウェブの搬送経路側に設けられた非接触ガイド面の搬送経路に沿った断面形状が搬送経路側に向けて凸状に形成されており、前記ウェブとの間に間隙を形成するための気体を噴出する噴出口が前記非接触ガイド面に設けられたウェブガイドと、前記噴出口から噴出させる気体の温度を変更する第１の温度変更装置、及び前記非接触ガイド面の温度を変更する第２の温度変更装置の少なくとも一方を備えるウェブ温度変更手段と、を備え、前記ウェブガイドが前記ウェブの搬送経路の一方側に設けられ、前記ウェブの搬送経路の他方側には、前記ウェブが前記非接触ガイド面の凸形状に沿って搬送されるように前記ウェブのウェブガイド側とは反対側の面を支持する支持手段が設けられている、ことを特徴としている。
【００１１】
次に、請求項１に記載のウェブ処理装置の作用を説明する。
【００１２】
例えば、塗工液の塗布されたウェブの乾燥を行うには、ウェブガイドの噴出口から気体を噴出させ、ウェブを一定のテンションで搬送する。
【００１３】
噴出口から気体を噴出しながらウェブの搬送を行うと、ウェブは気体に押圧されてウェブガイドから離れる方向へ付勢されるが、支持手段によってウェブのウェブガイド側とは反対側の面が支持されるので、ウェブは非接触ガイド面の凸形状に沿って非接触ガイド面とは非接触で搬送される。
【００１４】
なお、ウェブは、塗工液の塗布された面を非接触ガイド面に向けて搬送する。
【００１５】
非接触ガイド面と対向するウェブには、第１の温度変更装置によって加熱された気体、及び第２の温度変更装置によって加熱された非接触ガイド面の少なくとも一方にて加熱されて乾燥が促進される。
【００１６】
この請求項１に記載のウェブ処理装置では、非接触ガイド面と対向するこで噴出口からの加熱気体が吹き付けられるが、非接触ガイド面と対向している間は、非接触ガイド面の凸形状に沿って搬送方向に曲げられるため、従来のように直線状に搬送される場合に比較してばたつくことが無く（即ち、搬送方向に曲がることで断面二次モーメントが大となり変形し難くなる。）、非接触ガイド面との間隙（浮上量）が変化せずに安定してウェブが搬送され、ウェブに対する加熱量の変化が無くなる。
【００１７】
従来装置では、ウェブのばたつきによる熱風ノズルや輻射加熱媒体への接触が懸念でウェブを熱風ノズルや輻射加熱媒体から離す必要があったが、この請求項１に記載のウェブ処理装置では、上述したようにウェブの搬送が安定するので、ウェブを非接触ガイド面に近接させることができ、加熱効率を大幅に向上することが可能となる。
【００１８】
したがって、請求項１に記載のウェブ処理装置では、むらを生じさせることなく効率的にウェブの乾燥を行うことができる。
【００１９】
請求項２に記載の発明は、搬送されるウェブを処理するウェブ処理装置であって、前記ウェブの搬送経路側に設けられた非接触ガイド面の搬送経路に沿った断面形状が搬送経路側に向けて凸状に形成されており、前記ウェブとの間に間隙を形成するための気体を噴出する噴出口が前記非接触ガイド面に設けられたウェブガイドと、前記噴出口から噴出させる気体の温度を変更する第１の温度変更装置、及び前記非接触ガイド面の温度を変更する第２の温度変更装置の少なくとも一方を備えるウェブ温度変更手段と、を備え、前記ウェブが前記非接触ガイド面の凸形状に沿って搬送されるように、前記ウェブガイドが前記ウェブの搬送経路を挟んで両側に設けられている、ことを特徴としている。
【００２０】
次に、請求項２に記載のウェブ処理装置の作用を説明する。
【００２１】
例えば、塗工液の塗布されたウェブの乾燥を行うには、請求項１のウェブ処理装置と同様にウェブガイドの噴出口から気体を噴出させ、ウェブを一定のテンションで搬送する。
【００２２】
噴出口から気体を噴出しながらウェブの搬送を行うと、ウェブは気体に押圧されてウェブガイドから離れる方向へ付勢されるが、ウェブは搬送経路を挟んで両側から気体に押圧されて、各々の非接触ガイド面の凸形状に沿って非接触ガイド面とは非接触で搬送される。
【００２３】
なお、ウェブの加熱に関する作用は請求項１のウェブ処理装置と同様である。
【００２４】
請求項３に記載の発明は、請求項１または請求項２に記載のウェブ処理装置において、前記ウェブガイドを前記搬送経路と接離する方向に移動する移動手段を有する、ことを特徴としている。
【００２５】
次に、請求項３に記載のウェブ処理装置の作用を説明する。
【００２６】
例えば、移動手段を用いてウェブガイドを搬送経路側に移動すると、搬送されるウェブの搬送経路が大きく曲げられることになり、凸形状の非接触ガイド面に対してウェブが近接している範囲（所謂ラップ）を大きくとることができる。即ち、装置の搬送方向上流端から下流端までの限られた距離の中で、ウェブの非接触ガイド面と近接している部分の長さを伸ばすことができ、ウェブに付与する熱量を増大させることができる。一方、ウェブガイドを搬送経路とは反対側に移動すると、凸形状の非接触ガイド面に対してウェブが近接している範囲（所謂ラップ）が小さくなり、ウェブに付与する熱量を減少させることができる。このように、ウェブガイドを移動することで、ウェブに付与する熱量を変更することができる。
【００２７】
請求項４に記載の発明は、請求項３に記載のウェブ処理装置において、前記ウェブガイドに至る前の前記ウェブの厚みを検出する厚みセンサと、前記厚みセンサによる前記ウェブの厚み測定結果に基いて、前記移動手段を制御して前記ウェブガイドの位置を変更する制御手段と、を有することを特徴としている。
【００２８】
次に、請求項４に記載のウェブ処理装置の作用を説明する。
【００２９】
ウェブの厚みが変化すると、厚い部分で温度が上昇し難く、乾燥むらを生じる可能性がある。
【００３０】
請求項４に記載のウェブ処理装置では、加熱処理前にウェブの厚みを事前に厚みセンサで計測し、計測結果に基いて制御手段はウェブガイドの位置を変更し、ウェブへの加熱量を厚みに応じて変更することで、乾燥むらを抑えることが出来る。
【００３１】
請求項５に記載の発明は、請求項１乃至請求項４の何れか１項に記載のウェブ処理装置において、前記非接触ガイド面は、セラミックコーティングされている、ことを特徴としている。
【００３２】
次に、請求項５に記載のウェブ処理装置の作用を説明する。
【００３３】
請求項５に記載のウェブ処理装置では、非接触ガイド面をセラミックコーティングしているので、非接触ガイド面を加熱した際の非接触ガイド面からの赤外線放射量を増大でき、より乾燥効率を高めることが出来る。
【発明の効果】
【００３４】
以上説明したように本発明のウェブ処理装置によれば、例えば、搬送されるウェブを安定して、かつ効率的に乾燥処理することが出来る、という優れた効果を有する。
【発明を実施するための最良の形態】
【００３５】
以下、図面を参照して本発明の実施の形態の一例を詳細に説明する。
【００３６】
図１乃至図４にしたがって、本実施形態のウェブ処理装置１０を説明する。
【００３７】
図１に示すように、ウェブ処理装置１０は、ウェブ１２の搬送方向（矢印Ａ方向）に沿って長尺状に形成された処理ボックス１４を備えている。
【００３８】
処理ボックス１４のウェブ搬送方向上流側、及び下流側には、ウェブ１２を出入りさせるスリット１５が形成されている。
【００３９】
処理ボックス１４の内部には、ウェブ１２の搬送経路の上側、及び下側に千鳥状にウェブガイド１６が配置されている。
【００４０】
ウェブガイド１６は、ウェブ１２の幅方向（図１の紙面裏表方向）に沿って細長く形成された中空のボックス形状を呈している。
【００４１】
ウェブガイド１６は、搬送経路側が非接触ガイド面１８とされている。
【００４２】
非接触ガイド面１８は、搬送経路に沿った断面形状が搬送経路側に向けて凸円弧状に形成されている。
【００４３】
図２に示すように、ウェブガイド１６は、配管２０を介して第１の熱交換器２２、レギュレーター２４、及びエアコンプレッサ２６が接続されている。
【００４４】
第１の熱交換器２２は、エアコンプレッサ２６からの空気を加熱する役目を有しているが、冷却することも可能である。
【００４５】
図３に示すように、非接触ガイド面１８には、内外を連通する無数の空気噴出口２８が形成されており（図３では一部分のみ図示）、ウェブガイド１６の内部に加熱された圧縮空気が供給されることで、これらの空気噴出口２８から空気が噴出するようになっている。
【００４６】
空気噴出口２８の形状は、図３に示すように、円形であっても良く、四角等の多角形、スリット状等の他の形状であっても良い。何れにしても、空気噴出口２８の形状は、ウェブ１２に対して均一に風を分散できる（ウェブ１２に当たる風を分散、部分的に高くなる風圧を下げる）穴開き形状が好ましい。
【００４７】
非接触ガイド面１８における開口率は、２〜６％程度が好ましいが、この範囲に限定されるものでは無い。ちなみに、本実施形態での非接触ガイド面１８における開口率は２％に設定されている。
【００４８】
図２に示すように、第１の熱交換器２２、及びレギュレーター２４は、制御装置３０によって制御することができ、これによって空気噴出口２８から噴出する空気の温度、及び流量を制御することができる。
【００４９】
図１に示すように、ウェブガイド１６の内部には、非接触ガイド面１８の温度制御用のパイプ３２が長手方向に沿って配置されている。なお、パイプ３２は非接触ガイド面１８から離間しているが、接触させても良い。
【００５０】
パイプ３２に、例えば、温水、水蒸気、ガス、オイル等の媒体を通すことでパイプ３２を加熱することができる。なお、パイプ３２には冷水等を通しても良い。
【００５１】
したがって、パイプ３２を加熱することで、非接触ガイド面１８を加熱することが出来る。
【００５２】
図２に示すように、制御装置３０は、上記媒体の温度をパイプ３２に連結される熱交換器３３Ａ、循環ポンプ３３Ｂ等を制御して変更でき、これによってパイプ３２の温度を変更することができる。なお、パイプ内に制御装置３０で通電を制御される電気ヒーター配置してもよく、パイプ３２を除いて該電気ヒーターを配置しても良い。
【００５３】
非接触ガイド面１８を加熱することで、非接触ガイド面１８から搬送経路を通過するウェブ１２に向けて赤外線を放射することができる。
【００５４】
なお、非接触ガイド面１８の材質は、鉄鋼、ステンレススチール等の金属を用いることができるが、これら以外の材質であっても良い。また、非接触ガイド面１８の表面処理については特に限定する必要は無く、輻射効率を高めるためにセラミックコーティングを施しても良い。
【００５５】
なお、制御装置３０には、図１、及び図４に示すように、ウェブ１２の温度を計測する放射温度計４６が接続されており、処理ボックス１４内を連続的に搬送されるウェブ１２の温度を連続的に計測することが出来る。
【００５６】
図１に示すように、上側のウェブガイド１６は、シリンダー、ネジ送り機構等の移動装置３６によって搬送経路に接離する方向に移動可能となっている。
【００５７】
また、処理ボックス１４の上流側には、ウェブ１２の厚みを計測する厚みセンサ３８が設けられている。
【００５８】
制御装置３０は、厚みセンサ３８によるウェブ１２の厚み計測結果に基いてウェブガイド１６の位置を変更することができる。
【００５９】
処理ボックス１４の下流側には、加熱処理されたウェブ１２を一定のテンションで搬送するための搬送ローラ４０が配置されている。なお、装置には、搬送されるウェブ１２のテンションを検出するセンサ４２（図２参照）が設けられており、制御装置３０はセンサからのテンション検出信号に基いて搬送ローラ４０を駆動するモータ４４（図２参照）の制御を行っている。
【００６０】
図１に示すように、本実施形態では、例えば、ウェブガイド１６の搬送方向ピッチＬ1が３５０mm、非接触ガイド面１８の曲率半径ｒが３００mmであるが、本発明はこれに限らない。
（作用）
次に、本実施形態のウェブ処理装置１０の作用を説明する。
【００６１】
例えば、ウェブ処理装置１０で、塗工液の塗布されたウェブ１２の乾燥を行うには、ウェブガイド１６の空気噴出口２８から空気を噴出させ、ウェブ１２を一定のテンションで搬送する。
【００６２】
空気噴出口２８から一定量の空気を噴出すると共に、一定のテンションを掛けながらウェブ１２の搬送を行うことで、ウェブ処理装置１０内のウェブ１２は、非接触ガイド面１８の円弧形状に沿うように、非接触ガイド面１８と接触せずに搬送される。
【００６３】
このとき、ウェブ１２は、空気噴出口２８から噴出した加熱空気と、非接触ガイド面１８から放射された赤外線によって加熱されて乾燥が行われる。
【００６４】
このウェブ処理装置１０では、非接触ガイド面１８と対向すると空気噴出口２８からの加熱空気が吹き付けられるが、非接触ガイド面１８と対向している間は、非接触ガイド面１８の形状に沿って搬送方向に円弧状に積極的に曲げられるため、従来のように直線状に搬送される場合に比較してばたつくことが無く（即ち、円弧状に曲げることで断面二次モーメントが大となり変形し難くなる。）、非接触ガイド面１８との間隙（浮上量）が変化せずに安定してウェブ１２が搬送され、ウェブ１２に対する加熱量の変化が無くなる。
【００６５】
従来装置では、ウェブのばたつきによる熱風ノズルや輻射加熱媒体への接触が懸念でウェブを熱風ノズルや輻射加熱媒体から離す必要があったが、本実施形態のウェブ処理装置１０では、上述したようにウェブ１２の搬送が安定するので、ウェブ１２を従来よりも非接触ガイド面１８に近接させることができ、加熱効率を大幅に向上することが可能となる。例えば、本実施形態のウェブ処理装置１０を用いることで、搬送中のウェブ１２の垂直方向のばたつきの振幅を２mm以下に抑えることができ、ウェブ１２と非接触ガイド面１８との距離の最小値と最大値との差を３mm以下に抑えることができ、全体的にウェブ１２を非接触ガイド面１８に近接でき、効率的かつ均一な加熱が実現できる。
【００６６】
ところで、ウェブ１２の厚みが変化する、例えば、ウェブ１２の厚みが厚くなると、ウェブ１２は乾燥し難くなる。本実施形態では、制御装置３０がウェブ１２の厚みに応じてウェブガイド１６の位置を自動調整するので、例え搬送中のウェブ１２の厚みが変化しても一定した乾燥を行える。
【００６７】
具体的動作としては、例えば、ウェブ１２の厚みが厚くなった場合には、図１の２点鎖線で示すようにウェブガイド１６を搬送経路側に移動する。これにより、非接触ガイド面１８に対して、ウェブ１２が極めて近接して搬送される範囲（非接触ガイド面１８とウェブ１２との近接距離が１．０mm以内となる部分で、例えば、図１中でθ2で示されるラップ角部分。）が長くとれ、ウェブ１２に与える熱量を増大させることができる。
【００６８】
一方、ウェブ１２の厚みが元の厚みに戻った場合（薄くなった場合も）には、搬送経路とは反対側に移動する。これにより、ラップ角θ2がラップ角θ1（＜θ2）となり、ラップ角θ2の場合とは相対的にウェブ１２に与える熱量を減少させることができる。
【００６９】
なお、本実施形態では、ウェブ１２の厚みに応じてウェブガイド１６の位置を自動調整したが、ウェブ１２の幅を検出するセンサを処理ボックス１４の上流側に別途設け、幅に応じてウェブガイド１６の位置を調整することもできる。具体的動作としては、例えば、ウェブ１２の幅が広くなった場合にはウェブガイド１６を搬送経路側に移動してウェブ１２に与える熱量を増大させ、狭くなった場合には搬送経路とは反対側に移動してウェブ１２に与える熱量を減少させる。
【００７０】
また、本実施形態のウェブ処理装置１０では、ウェブ１２を蛇行させながら搬送しているので、直線状に搬送する従来装置よりも、一定長さの処理ボックス内での搬送距離を長くとって伝熱面を大きくとれ、スペース効率が良い。したがって、ウェブを直線状に搬送する従来装置より処理ボックス長を短くすることが可能である。
【００７１】
また、従来装置では、加熱量の調整を風量で行っていたため、高い熱量を付与する場合、高速風を吹き付ける必要があった。これにより、風ムラの発生の懸念、及びウェブばたつきによる不安定搬送、浮上量の変化による不均一加熱の懸念があった。一方、本実施形態のウェブ処理装置１０では、風量を変更せず、ウェブガイド１６の位置を変更するのみで加熱量の調整を行えるため、従来装置での懸念が無い。
【００７２】
また、空気温度の変更、及び非接触ガイド面１８の温度を瞬時に変更することはできないが、ウェブガイド１６の位置は瞬時に変更できるので、高速で搬送されるウェブ１２の厚みが変化しても、これに応じて加熱量の変更を迅速で行え、安定した乾燥処理を行える。
【００７３】
なお、上記実施形態では、ウェブガイド１６を３個設けたが、ウェブガイド１６の個数はこれに限らず、例えば、図４に示すように、さらに複数設けても良い。
【００７４】
また、上記実施形態では、ウェブガイド１６をウェブ１２の搬送経路両側に設けたが、図５に示すように、搬送経路の片側のみに配置しても良い。この場合、搬送経路を挟んでウェブガイド側とは反対側に、ウェブ１２のウェブ側とは反対側の面を支持するサポートロール４８をウェブガイド１６の搬送方向両側に設ける。サポートロール４８は、いわゆる従動ロールであり、ウェブ１２の搬送によって回転する。また、図５の構成とした場合、サポートロール４８をウェブ１２の搬送経路と接離する方向に移動装置３６（図５では図示せず）で移動することで、ラップ角θを変更できる。
【００７５】
また、上記実施形態の非接触ガイド面１８は、搬送経路に沿った断面形状が搬送経路側に向けて凸円弧状円弧形状であったが、本発明はこれに限らない。非接触ガイド面１８は、搬送経路に沿った断面形状が滑らかな凸形状曲線が好ましいが、場合によっては台形、多角形等であっても良い。
【００７６】
なお、制御装置３０は、放射温度計４６による温度計測結果に基いてウェブガイド１６の位置調整を行うこともできる。
【００７７】
本実施形態では、非接触ガイド面１８の曲率半径ｒが３００mmとしたが、非接触ガイド面１８の曲率半径ｒは大きい方がより良い。
【００７８】
但し、曲率半径ｒは大きくても小さくても良いというわけではなく、最低１５０mm〜最高数千mmが必要である。加熱装置に用いる場合、曲率半径ｒは１５０mm〜５００mm程度が好ましい。
【００７９】
ウェブ１２を非接触ガイド面１８から浮上させる浮上条件、あっ問えば、風速、圧力については特に限定はしないが、ウェブ１２が非接触ガイド面１８に接触せず、一定距離に保たれれば良い。
【００８０】
なお、ウェブ１２の塗工液の溶媒は、水、溶剤等限定されない。
【００８１】
また、上記実施形態のウェブ１２はアルミニウムであったが、本発明はこれに限らず、処理するウェブの材質は、アルミニウム以外の金属、合成樹脂、布等の他の材質であっても良い。
【実施例】
【００８２】
（試験例１）
本発明の適用された図１に示す構造のウェブ処理装置を作製し、加熱条件を種々変更し、ウェブ処理装置の出口部分でのウェブの温度測定を行った。
【００８３】
加熱条件、及び温度測定結果は以下の表１に示す通りであった。
【００８４】
【表１】
2006264970.tif 000003
【００８５】
（試験例２）
本発明の効果を確かめるために従来技術相当のウェブ処理装置を作製し、本発明品との比較試験を行った。
【００８６】
従来技術相当のウェブ処理装置は、ウェブを直線状に搬送し、空気を噴出する非接触ガイド面を平面状に形成したものである。
【００８７】
ちなみに、ウェブは、厚さ３００μm、幅６００mmであり、非接触ガイド面とウェブとの間の平均圧力が２ｋＰａである。
【００８８】
実施例では、非接触ガイド面に対するラップ角度を９０°とした。また、パイプの加熱媒体としてオイルを使用した。
【００８９】
【表２】
2006264970.tif 000004
【００９０】
試験の結果、平面状とされた非接触ガイド面から空気を噴出し、かつウェブを直線状に搬送すると、ウェブが搬送中にばたつくためウェブと非接触ガイド面との距離を小さくすることができないが、実施例ではウェブのばたつきは極小であり、ウェブを非接触ガイド面に近づけることができ、ムラなく、かつ効率的な乾燥が行えた。
【図面の簡単な説明】
【００９１】
【図１】ウェブ処理装置の断面図である。
【図２】ウェブ処理装置のブロック図である。
【図３】ウェブガイドの斜視図である。
【図４】他の実施形態に掛かるウェブ処理装置の断面図である。
【図５】他の実施形態に掛かるウェブ処理装置の断面図である。
【符号の説明】
【００９２】
１０    ウェブ処理装置
１２    ウェブ
１４    処理ボックス
１６    ウェブガイド
１８    非接触ガイド面
２０    配管（第１の温度変更装置、ウェブ温度変更手段）
２２    熱交換器（第１の温度変更装置、ウェブ温度変更手段）
２４    レギュレーター（第１の温度変更装置、ウェブ温度変更手段）
２６    エアコンプレッサ（第１の温度変更装置、ウェブ温度変更手段）
２８    空気噴出口（噴出口）
３０    制御装置（制御手段）
３２    パイプ（第２の温度変更装置、ウェブ温度変更手段）
３３Ｂ  循環ポンプ（第２の温度変更装置、ウェブ温度変更手段）
３３Ａ  熱交換器（第２の温度変更装置、ウェブ温度変更手段）
３６    移動装置（移動手段）
３８    厚みセンサ
４０    搬送ローラ
４２    センサ
４４    モータ
４６    放射温度計
４８    サポートロール（支持手段）
【図１】
2006264970.tif 000005
【図２】
2006264970.tif 000006
【図３】
2006264970.tif 000007
【図４】
2006264970.tif 000008
【図５】
2006264970.tif 000009